(57)【要約】      （修正有）【課題】撮影の補助用具であるバウンス板を折畳み式にし、素材をスチレンボードにする事によって、運搬・保管を簡便にするものである。【解決手段】１Ａから１ＨのＢ２サイズのスチレンボード８枚を２から８の布ガムテープで一方向に折畳む事ができるように貼り、また９から１２の面ファスナーで上部６枚のスチレンボードがそれぞれ片側３枚ずつに解離できる様にする。設置例としては、くの字に折曲げ、立てて使用する。運搬・保管時は面ファスナー部５ヶ所を解離し、それぞれの両翼を屏風のように交互に折畳み、Ｂ２サイズで厚み約５ｃｍ弱の形状にする。素材を軽量化した事、折畳み可能にした事で、撮影現場までの運搬を容易にし、且つ、保管場所を小スペースにしている。【選択図】図３
0003145339.tif 000002
【実用新案登録請求の範囲】
【請求項１】
撮影補助用具として、８枚のスチレンボードを恒久的接合と簡易的接合で、片側４枚を接合したスチレンボードを１面とする２面から成るバウンス板である。また、簡易的接合部を解離する事によって最小サイズ、面の大きさはスチレンボード１枚分、厚みは８枚分強に折畳む事が可能な折畳み式簡易バウンス板。
【考案の詳細な説明】
【技術分野】
【０００１】本考案は、スチレンボードを組み合わせた、折畳み可能なバウンス板に関するものである。
【背景技術】
【０００２】撮影専用のスタジオ以外で撮影する場合、光を反射させたりするためのバウンス板に代わる大きな白い発泡板が必要な場合がある。
【考案の開示】
【考案が解決しようとする課題】
【０００３】用途に合わせた機材を撮影場所に持込む時、大きな発泡板、たとえば、３×６、４×８サイズの発泡板を持込む場合、運搬がかなり困難であり、また使用しない時の保管にもスペースを取ってしまいます。そこで、素材の軽量化と折畳み式にする事により前記の難点を解決しようとするものである。
【課題を解決するための手段】
【０００４】本考案は、Ｂ２サイズ、厚み５ｍｍのスチレンボードの長辺を屏風の様に４枚接合して１面とし、２面分のスチレンボードを左右対称に配置し、最上部、あるいは最下部の短辺を片側にしか折畳めない様に接合し、他の３つの短辺は面ファスナーで接合して簡易のバウンス板としています。面ファスナーを解離し、屏風の様に両側の面を折畳むと、最小サイズ、面の大きさはスチレンボード１枚分、厚みは８枚分強になり問題を解決している。
【考案の効果】
【０００５】上記の様に、本考案の折畳み式簡易バウンス板は、撮影設備のない場所でも、より良い写真を撮影するためのライティグ設置の補助用品として利便性が高く、また折畳む事によって運搬や保管を容易にしています。
【考案を実施するための最良の形態】
【０００６】本バウンス板の面ファスナーの対部分のオスメスを接合し、短辺恒久接合部を下にして立て、開いて設置する。使用後、本バウンス板を全開にし、両面を同時に屏風の様に折畳み、短辺恒久接合部の折畳み可能な方向に折り、最小サイズに畳む。撮影セッティング時は、Ｂ２サイズ８枚分の２２００ｍｍ×１６００ｍｍの縦に、くの字に２枚に折れる白い板として使用する。運搬や保管時は、折畳み、Ｂ２サイズで厚み５ｃｍ弱の形状にする。
【実施例】
【０００７】以下、添付図面に従って実施例を説明する。１Ａから１ＨのＢ２サイズ、厚さ５ｍｍ、両面ケント紙貼りタイプのスチレンボード８枚を「図１」の様に配し、白色の布ガムテープ２から８で接合し、また、白色の面ファスナー９から１１で接合して折畳み可能にしている。【０００８】１Ａと１Ｂの長辺の接合は「図６」の様に１Ａと１Ｂの長辺の厚み分に２ａを折込んで貼り、裏側を１Ａと１Ｂの長辺が密着した状態で２ｂを貼っている。同様に１Ｃと１Ｄの長辺を４ａと４ｂで接合している。また同様に１Ｆと１Ｇの長辺を６ａと６ｂで接合している。それによって屏風の様に交互に折れ曲がる構造になっている。【０００９】１Ｂと１Ｃの長辺の接合は「図７」の様に１Ｂと１Ｃの長辺の厚み分に３ａを折込んで貼り、裏側を１Ｂと１Ｃの長辺が密着した状態で３ｂを貼っている。同様に１Ｅと１Ｆの長辺を５ａと５ｂで接合している。また同様に１Ｇと１Ｈの長辺を７ａと７ｂで接合している。それによって屏風の様に交互に折れ曲がる構造になっている。【００１０】１Ｄと１Ｈの短辺の接合は両翼を「図３」の様に配し、「図８」の様に１Ｄと１Ｈの短辺の厚みに８ａを貼り込んで、裏側を１Ｄと１Ｈの短辺の厚みにかからない様に８ｂを貼っている。それによって片側にしか折れない構造になっている。【００１１】１Ａと１Ｅの短辺の接合は「図５」の様に、面ファスナーのオス面９ａを１Ａに貼り、面ファスナーのメス面９ｂを１Ｅに貼り、簡易的接合の解離と接合を可能にしている。同様に１Ａと１Ｅの２ヶ所目に１０ａと１０ｂを貼る。また同様に１Ｂと１Ｆに１１ａと１１ｂをそれぞれ貼り、１Ｃと１Ｇに１２ａと１２ｂをそれぞれ貼ってる。【００１２】使用時は「図２」の様に、くの字に真ん中で少し折って設置する。【００１３】「図３」は、組立てあるいは折畳み途中である。９ａと９ｂ、１０ａと１０ｂ、１１ａと１１ｂ、１２ａと１２ｂの解離によって折畳み可能になっている。完全に折畳むと「図４」の様に、Ｂ２サイズで布ガムテープと面ファスナーの厚みを合算し、厚み５ｃｍ弱の形状になり、運搬・保管が容易になる。
【産業上の利用可能性】
【図面の簡単な説明】
【００１４】
【図１】本考案の全面展開図である。
【図２】本バウンス板の実使用時の立図である。
【図３】本バウンス板の設置あるいは折畳み途中図である。
【図４】本バウンス板の折畳み完了図である。
【図５】簡易的接合に用いる面ファスナーの接合部図である。
【図６】布ガムテープによる右折れ恒久的接合の拡大図である。
【図７】布ガムテープによる左折れ恒久的接合の拡大図である。
【図８】図３の補足。底辺のスチレンボードの恒久的接合の拡大図である。
【符号の説明】
【００１５】  １    Ｂ２サイズ、厚さ５ｍｍ、両面ケント紙貼りタイプのスチレンボード８枚
２    白色布ガムテープ５０ｍｍ幅、長さ８００ｍｍ
３    白色布ガムテープ５０ｍｍ幅、長さ８００ｍｍ
４    白色布ガムテープ５０ｍｍ幅、長さ８００ｍｍ
５    白色布ガムテープ５０ｍｍ幅、長さ８００ｍｍ
６    白色布ガムテープ５０ｍｍ幅、長さ８００ｍｍ
７    白色布ガムテープ５０ｍｍ幅、長さ８００ｍｍ
８    白色布ガムテープ５０ｍｍ幅、長さ５５０ｍｍ
９    面ファスナー２５ｍｍ幅、長さ１５０ｍｍ
１０  面ファスナー２５ｍｍ幅、長さ１５０ｍｍ
１１  面ファスナー２５ｍｍ幅、長さ１５０ｍｍ
１２  面ファスナー２５ｍｍ幅、長さ１５０ｍｍ
【図１】
0003145339.tif 000003
【図２】
0003145339.tif 000004
【図３】
0003145339.tif 000005
【図４】
0003145339.tif 000006
【図５】
0003145339.tif 000007
【図６】
0003145339.tif 000008
【図７】
0003145339.tif 000009
【図８】
0003145339.tif 000010
【手続補正書】
【提出日】平成20年8月4日(2008.8.4)
【手続補正１】
【補正対象書類名】実用新案登録請求の範囲
【補正対象項目名】全文
【補正方法】変更
【補正の内容】
【実用新案登録請求の範囲】
【請求項１】
隣り合う一対の屏風状板からなり、該屏風状板は直列に連結された２以上の小バウンス板からなり、該屏風状板のいずれか一方の端部側の小バウンス板は該一対の屏風状板間で折り畳み可能に連結され、該一対の屏風状板の隣り合う側の縁部であって、該一対の屏風状板の残りの小バウンス板の縁部の近傍には面ファスナーが各々取り付けられていて、該残りの小バウンス板は該一対の屏風状板間で着脱可能、折り畳み可能になっていることを特徴とする折畳み式バウンス板。
【手続補正２】
【補正対象書類名】明細書
【補正対象項目名】全文
【補正方法】変更
【補正の内容】
【考案の詳細な説明】
【技術分野】
【０００１】
本考案は、スチレンボードを組み合わせた、折畳み可能なバウンス板に関するものである。
【背景技術】
【０００２】
撮影専用のスタジオ以外で撮影する場合、光を反射させたりするためのバウンス板に代わる大きな白い発泡板が必要な場合がある。
【特許文献１】特開平１０−１２３５９２
【考案の開示】
【考案が解決しようとする課題】
【０００３】
用途に合わせた機材を撮影場所に持込む時、大きな発泡板、たとえば、３×６、４×８サイズの発泡板を持込む場合、運搬がかなり困難であり、また使用しない時の保管にもスペースを取ってしまいます。そこで、素材の軽量化と折畳み式にする事により前記の難点を解決しようとするものである。
【課題を解決するための手段】
【０００４】
本考案に係るバウンス板は、隣り合う一対の屏風状板からなり、該屏風状板は直列に連結された２以上の小バウンス板からなり、該屏風状板のいずれか一方の端部側の小バウンス板は該一対の屏風状板間で折り畳み可能に連結され、該一対の屏風状板の隣り合う側の縁部であって、該一対の屏風状板の残りの小バウンス板の縁部の近傍には面ファスナーが各々取り付けられていて、該残りの小バウンス板は該一対の屏風状板間で着脱可能、折り畳み可能になっていることを特徴とするものである。
【０００５】
本考案は、具体的には、Ｂ２サイズ、厚み５ｍｍのスチレンボード（小バウンス板）の長辺を屏風の様に４枚接合して１面（屏風状板）とし、２面分のスチレンボード（屏風状板）を左右対称に配置し、最上部、あるいは最下部の短辺を片側にしか折畳めない様に接合し、他の３つの短辺は面ファスナーで接合して簡易のバウンス板としています。面ファスナーを解離し、屏風の様に両側の面を折畳むと、最小サイズ、面の大きさはスチレンボード１枚分、厚みは８枚分強になり問題を解決している。
【考案の効果】
【０００６】
上記の様に、本考案の折畳み式簡易バウンス板は、撮影設備のない場所でも、より良い写真を撮影するためのライティグ設置の補助用品として利便性が高く、また折畳む事によって運搬や保管を容易にしています。
【考案を実施するための最良の形態】
【０００７】
本バウンス板に取り付けられた面ファスナーの対部分（隣り合う屏風状板間で対向している部分）のオスメスを接合し、短辺恒久接合部（屏風状板のいずれか一方の端部側の小バウンス板間で恒久的に連結されている部分）を下にして立て、開いて設置する。使用後、本バウンス板を全開にし、両面（屏風状板）を同時に屏風の様に折畳み、短辺恒久接合部の折畳み可能な方向に折り、最小サイズに畳む。撮影セッティング時は、Ｂ２サイズ８枚分の２２００ｍｍ×１６００ｍｍの縦に、くの字に２枚に折れる白い板として使用する。運搬や保管時は、折畳み、Ｂ２サイズで厚み５ｃｍ弱の形状にする。
【実施例】
【０００８】
以下、添付図面に従って実施例を説明する。「図１」の様に、小バウンス板１Ａから１Ｈ（Ｂ２サイズ、厚さ５ｍｍ、両面ケント紙貼りタイプのスチレンボード８枚）を配し、白色の布ガムテープ２ａ〜８ａ，２ｂ〜８ｂで接合し、また、白色の面ファスナー９ａ〜１１ａ，９ｂ〜１１ｂで接合して折畳み可能にしている。
【０００９】
小バウンス板１Ａと小バウンス板１Ｂの長辺の接合は「図６」の様に小バウンス板１Ａと小バウンス板１Ｂの長辺の厚み分に布ガムテープ２ａを折込んで貼り、裏側を小バウンス板１Ａと小バウンス板１Ｂの長辺が密着した状態で布ガムテープ２ｂを貼っている。同様に小バウンス板１Ｃと小バウンス板１Ｄの長辺を布ガムテープ４ａ，４ｂで表裏から接合している。また同様に小バウンス板１Ｆと小バウンス板１Ｇの長辺を布ガムテープ６ａ，６ｂで表裏から接合している。それによって屏風の様に交互に折れ曲がる構造になっている。
【００１０】
小バウンス板１Ｂと小バウンス板１Ｃの長辺の接合は「図７」の様に小バウンス板１Ｂと小バウンス板１Ｃの長辺の厚み分に布ガムテープ３ａを折込んで貼り、裏側を小バウンス板１Ｂと小バウンス板１Ｃの長辺が密着した状態で布ガムテープ３ｂを貼っている。同様に小バウンス板１Ｅと小バウンス板１Ｆの長辺を布ガムテープ５ａ，５ｂで表裏から接合している。また同様に小バウンス板１Ｇと小バウンス板１Ｈの長辺を布ガムテープ７ａ，７ｂで表裏から接合している。それによって屏風の様に交互に折れ曲がる構造になっている。
【００１１】
小バウンス板１Ｄと小バウンス板１Ｈの短辺の接合は両翼を「図３」の様に配し、「図８」の様に小バウンス板１Ｄと小バウンス板１Ｈの短辺の厚みに布ガムテープ８ａを貼り込んで、裏側を小バウンス板１Ｄと小バウンス板１Ｈの短辺の厚みにかからない様に布ガムテープ８ｂを貼っている。それによって片側にしか折れない構造になっている。
【００１２】
小バウンス板１Ａと小バウンス板１Ｅの短辺の接合は「図５」の様に、面ファスナーのオス面９ａを小バウンス板１Ａに貼り、面ファスナーのメス面９ｂを小バウンス板１Ｅに貼り、簡易的接合の解離と接合を可能にしている。同様に小バウンス板１Ａと小バウンス板１Ｅの２ヶ所目に面ファスナー１０ａ，１０ｂを貼る。また同様に小バウンス板１Ｂと小バウンス板１Ｆに面ファスナー１１ａ，１１ｂをそれぞれ貼り、小バウンス板１Ｃと小バウンス板１Ｇに面ファスナー１２ａ，１２ｂをそれぞれ貼ってる。
【００１３】
使用時は「図２」の様に、くの字に真ん中で少し折って設置する。
【００１４】
「図３」は、組立てあるいは折畳み途中である。面ファスナーのオス面９ａ，１０ａ，１１ａ，１２ａと面ファスナーのメス面９ｂ，１０ｂ，１１ｂ，１２ｂの解離によって折畳み可能になっている。完全に折畳むと「図４」の様に、Ｂ２サイズで布ガムテープと面ファスナーの厚みを合算し、厚み５ｃｍ弱の形状になり、運搬・保管が容易になる。
【図面の簡単な説明】
【００１５】
【図１】本考案の全面展開図である。
【図２】本バウンス板の実使用時の立図である。
【図３】本バウンス板の設置あるいは折畳み途中図である。
【図４】本バウンス板の折畳み完了図である。
【図５】簡易的接合に用いる面ファスナーの接合部図である。
【図６】布ガムテープによる右折れ恒久的接合の拡大図である。
【図７】布ガムテープによる左折れ恒久的接合の拡大図である。
【図８】図３の補足。底辺のスチレンボードの恒久的接合の拡大図である。
【符号の説明】
【００１６】
１Ａ，１Ｂ，１Ｃ，１Ｄ，１Ｅ，１Ｆ，１Ｇ，１Ｈ  小バウンス板（Ｂ２サイズ、厚さ５ｍｍ、両面ケント紙貼りタイプのスチレンボード）
２ａ，３ａ，４ａ，５ａ，６ａ，７ａ，８ａ  白色布ガムテープ（５０ｍｍ幅、長さ８００ｍｍ）
２ｂ，３ｂ，４ｂ，５ｂ，６ｂ，７ｂ，８ｂ  白色布ガムテープ（５０ｍｍ幅、長さ８００ｍｍ）
９ａ，１０ａ，１１ａ，１２ａ  面ファスナーのオス面（２５ｍｍ幅、長さ１５０ｍｍ）
９ｂ，１０ｂ，１１ｂ，１２ｂ  面ファスナーのメス面（２５ｍｍ幅、長さ１５０ｍｍ）